(57)【特許請求の範囲】
【請求項１】
ユーザコンテンツの取得方法であって、
第１のユーザの第１の端末が、前記第１の端末の現在位置の経緯度座標に対応する点を中心とした円形の領域に含まれるデパート、ショップの名称及び／又は街路の番号を含む地理情報と、前記第１のユーザ以外の第２のユーザのユーザＩＤとを含むコンテンツ取得要求をサーバに送信することと、
前記サーバが、自身に保存されたコンテンツリポジトリーから前記コンテンツ取得要求における前記地理情報及び前記第２のユーザのユーザＩＤにマッチングしたコンテンツ情報をサーチして前記第１の端末にプッシュすることとを含み、
前記コンテンツリポジトリーは前記第２のユーザの第２の端末により発行されてサーバに保存され、かつ、各コンテンツ情報には前記第２の端末の位置情報及び前記第２のユーザのユーザＩＤが含まれる
ことを特徴とする方法。
【請求項２】
前記サーバが、前記第２の端末の経緯度座標によって前記第２の端末の位置情報を取得することを含む
ことを特徴とする請求項1に記載の方法。
【請求項３】
前記地理情報は、前記第１のユーザによって選択されて入力されるか、または、現在の前記第１の端末の実際の地理ロケーションに設定される
ことを特徴とする請求項1に記載の方法。
【請求項４】
前記第１の端末がサーバにコンテンツ取得要求を送信する前に、
前記第１の端末が、前記第１の端末の現在位置の経緯度座標を取得し、前記第１の端末の現在位置の経緯度座標によって前記第１の端末の現在の地理情報を取得することをさらに含む
ことを特徴とする請求項１に記載の方法。
【請求項５】
ユーザコンテンツの取得システムであって、
前記取得システムは、第１の端末とサーバを含み、
第１のユーザの前記第１の端末は、前記第１の端末の現在位置の経緯度座標に対応する点を中心とした円形の領域に含まれるデパート、ショップの名称及び／又は街路の番号を含む地理情報と、前記第１のユーザ以外の第２のユーザのユーザＩＤとを含むコンテンツ取得要求を前記サーバに送信し、
前記サーバは、自身に保存されたコンテンツリポジトリーから、前記コンテンツ取得要求における前記地理情報及び前記第２のユーザのユーザＩＤにマッチングしたコンテンツ情報をサーチして前記第１の端末にプッシュし、
前記コンテンツリポジトリーは前記第２のユーザの第２の端末により発行されて前記サーバに保存され、かつ、各コンテンツ情報には少なくとも前記第２の端末の位置情報及び前記第２のユーザのユーザＩＤが含まれる
ことを特徴とするシステム。
【請求項６】
前記サーバは、前記第２の端末の経緯度座標によって前記第２の端末の位置情報を取得する
ことを特徴とする請求項５に記載のシステム。
【請求項７】
前記地理情報は前記第１のユーザにより選択されて入力されか、または、現在の前記第１の端末の実際の地理ロケーションに設定される
ことを特徴とする請求項５に記載のシステム。
【請求項８】
前記第１の端末は、更に、前記第１の端末の現在位置の経緯度座標を取得し、前記第１の端末の現在位置の経緯度座標によって前記第１の端末の現在の地理情報を取得する
ことを特徴とする請求項５に記載のシステム。
【発明の詳細な説明】
【技術分野】
【０００１】
本発明はネットワーク通信分野に関し、特に、ユーザコンテンツの取得方法及び取得システムに関する。
【背景技術】
【０００２】
ブログやマイクロブログ等のようなユーザ情報の共有及び通信プラットフォームの発展に伴い、各端末を介してユーザに提示されるユーザコンテンツがネットワーク上に爆発的に増加した。
【０００３】
例えば、マイクロブログについて、ユーザは携帯電話やパソコン等のような端末でマイクロブログを実行した後、端末上でユーザコンテンツを作成してネットワークに公開することができる。ユーザがネットワーク上のユーザコンテンツを取得する必要がある場合、端末はネットワークからユーザコンテンツを取得してユーザに提示する。
【０００４】
近年、ネットワーク上においてユーザコンテンツが爆発的に増加しており、ネットワーク上における大量のユーザコンテンツから相対的に価値の有るユーザコンテンツを、どのようにして取得してユーザに提示するかは、現在において解決すべき緊急課題である。
【発明の概要】
【発明が解決しようとする課題】
【０００５】
ネットワーク上における大量のユーザコンテンツからユーザに対して価値の有るユーザコンテンツを取得するために、本発明はユーザコンテンツの取得方法及び取得システムを提供する。
【課題を解決するための手段】
【０００６】
本技術案は下記の通りである。
ユーザコンテンツの取得方法は、
第１の端末が、地理情報及びユーザＩＤのうち少なくとも１つを含むコンテンツ取得要求をサーバに送信することと、
前記サーバが、自身に保存されたコンテンツリポジトリーから前記コンテンツ取得要求にマッチングしたコンテンツ情報をサーチして前記第１の端末にプッシュすることとを含み、
前記コンテンツリポジトリーは第２の端末により発行されてサーバに保存され、かつ、各コンテンツ情報には少なくとも前記第２の端末の位置情報及びユーザＩＤが含まれる。
【０００７】
ユーザコンテンツの取得システムは、第１の端末とサーバとを含み、
前記第１の端末は、地理情報及びユーザＩＤのうち少なくとも１つを含むコンテンツ取得要求を前記サーバに送信し、
前記サーバは、自身に保存されたコンテンツリポジトリーから、前記コンテンツ取得要求にマッチングしたコンテンツ情報をサーチして前記第１の端末にプッシュし、
前記コンテンツリポジトリーは第２の端末により発行されて前記サーバに保存され、かつ、各コンテンツ情報には少なくとも前記第２の端末の位置情報及びユーザＩＤが含まれる。
【０００８】
本発明の実施例では、第１の端末は、地理情報及びユーザＩＤのうち少なくとも１つを含むコンテンツ取得要求をサーバに送信し、サーバは、自身に保存されたコンテンツリポジトリーから当該コンテンツ取得要求にマッチングしたコンテンツ情報をサーチして第１の端末にプッシュする。前記コンテンツリポジトリーは第２の端末により発行されてサーバに保存され、かつ、各コンテンツ情報には少なくとも前記第２の端末の位置情報及びユーザＩＤが含まれる。これにより、ユーザＩＤ及び/または地理情報によって、ユーザに対して価値のあるコンテンツ情報を取得することが可能となる。
【図面の簡単な説明】
【０００９】
【図１】本発明の実施例１におけるユーザコンテンツの取得方法のフローチャートである。
【図２】本発明の実施例２におけるユーザコンテンツの取得方法のフローチャートである。
【図３】本発明の実施例３におけるユーザコンテンツの取得システムの構造模式図である。
【発明を実施するための形態】
【００１０】
以下、本発明の目的、技術案及びメリットを明瞭化するために、図面を参照しながら本発明の実施形態を更に詳しく説明する。
【００１１】
実施例１
図１に示すように、本発明における実施例はユーザコンテンツの取得方法を提供する。この方法は、下記のステップを含む。
【００１２】
ステップ１０１:第１の端末は、地理情報及びユーザＩＤのうち少なくとも１つを含むコンテンツ取得要求をサーバに送信する。
【００１３】
ステップ１０２:サーバは、自身に保存されたコンテンツリポジトリーから前記コンテンツ取得要求にマッチングしたコンテンツ情報をサーチして第１の端末にプッシュする。前記コンテンツリポジトリーは第２の端末により発行されて前記サーバに保存され、かつ、各コンテンツ情報には少なくとも前記第２の端末の位置情報及びユーザＩＤが含まれる。
【００１４】
本発明における実施例において、第１の端末は、地理情報及びユーザＩＤのうち少なくとも１つを含むコンテンツ取得要求をサーバに送信し、サーバは、自身に保存されたコンテンツリポジトリーから当該コンテンツ取得要求にマッチングしたコンテンツ情報をサーチして第１の端末にプッシュする。前記コンテンツリポジトリーは第２の端末により発行されてサーバに保存され、かつ、各コンテンツ情報には前記第２の端末の位置情報及びユーザＩＤが含まれる。これにより、ユーザＩＤ及び/または地理情報によってユーザに対して価値のあるコンテンツ情報を取得するが可能となる。
【００１５】
実施例２
図２に示すように、本発明における実施例はユーザコンテンツの取得方法を提供する。この方法は、下記のステップを含む。
【００１６】
ステップ２０１:第２の端末は第２のユーザのユーザＩＤと第２のユーザの現在の経緯度座標を取得する。
【００１７】
具体的には、第２の端末は第２の端末内に事前に記憶された第２のユーザのユーザＩＤを取得してもよいし、または、第２のユーザにより直接的に入力された第２のユーザのユーザＩＤを受信してもよい。第２の端末は第２のユーザの現在の位置を特定して第２のユーザの現在の位置の経緯度座標を取得する。
【００１８】
ここで、第２の端末が起動されるとき、第２の端末は第２のユーザのユーザＩＤと第２のユーザの現在位置の経緯度座標を取得する必要がある。第２のユーザは、初めて第２の端末を起動するとき、第２の端末へ第２のユーザのユーザＩＤを入力する必要があり、第２の端末は第２のユーザのユーザＩＤを受信して第２のユーザのユーザＩＤを記憶する。これ以降では、第２のユーザが第２の端末を起動する度に、第２の端末は自身に記憶された第２のユーザのユーザＩＤを直接的に取得することができる。または、第２のユーザが第２の端末を起動する度に、第２のユーザが第２の端末へ第２のユーザのユーザＩＤを直接的に入力してもよい。このようにして、第２の端末は第２のユーザから入力された第２のユーザのユーザＩＤを直接的に受信することができる。
【００１９】
ここで、第２の端末は、ＧＰＳ(Ｇｌｏｂａｌ  Ｐｏｓｉｔｉｏｎｉｎｇ  Ｓｙｓｔｅｍ:全地球測位システム)モジュールを有していてもよく、第２の端末は、自身が有するＧＰＳモジュールを介して第２のユーザの現在位置を特定して第２のユーザの現在位置の経緯度座標を取得してもよい。または、第２の端末は、ネットワークポジショニング方法を使用して第２のユーザの現在位置を特定し、第２のユーザの現在位置の経緯度座標を取得してもよい。
【００２０】
例えば、第２の端末に事前に記憶された第２のユーザのユーザＩＤがＵｓｅｒＩＤ１である場合、第２のユーザが第２の端末を起動したときに、第２の端末は自身に記憶された第２のユーザのユーザＩＤ  ＵｓｅｒＩＤ１  を直接的に取得する。そして、第２の端末は、自身が有するＧＰＳモジュールを介して第２のユーザの現在位置を特定して、第２のユーザの現在位置の経緯度座標（ｘ１，ｙ１）を取得する。
【００２１】
ステップ２０２:第２の端末は、第２のユーザの現在位置の経緯度座標によって第２のユーザの現在位置の地理情報を取得する。
【００２２】
具体的には、第２の端末は第２のユーザの現在位置の経緯度座標に対応する点を中心として予め設定されたサイズの領域範囲を確定し、ネットワークから当該領域範囲に含まれる１つまたは複数の地理情報を取得して情報リストを構成する。当該情報リストは取得された地理情報を含み、当該情報リストは第２のユーザへ提示される。第２のユーザは当該情報リストから第２のユーザの現在の地理情報を選択する。
【００２３】
ここで、第２の端末が第２のユーザの現在位置の経緯度座標に対応する点を中心として、予め設定されたサイズの領域範囲を確定することは、具体的に、第２のユーザの現在位置の経緯度座標に対応する点を円の中心として半径が予め設定された長さである円形の領域範囲を取得することを含む。
【００２４】
ここで、当該領域範囲に含まれる地理ロケーションは当該領域範囲に含まれるデパート、店舖、街路等場所であってもよく、当該領域範囲に含まれる地理情報は当該領域範囲に含まれるデパートの名称、店舖名及び/または街路番号などであってもよい。
【００２５】
例えば、端末が第２のユーザの現在位置の経緯度座標（ｘ１，ｙ２）に対応する点を円の中心として半径が予め設定された長さである円形の領域範囲Ａｒｅａ１を取得する場合を想定する。また、Ａｒｅａ１に含まれるすべての地理ロケーションは、デパート名がそれぞれＭａｒｋｅｔ１、Ｍａｒｋｅｔ２及びＭａｒｋｅｔ３である３つのデパートと、店舖名がＳｈｏｐ１及びＳｈｏｐ２であるの２つの店舖と、名称がＰａｒｋである公園であるとする。この場合、端末は、ネットワークから当該領域範囲に含まれる地理情報、つまり、Ｍａｒｋｅｔ１、Ｍａｒｋｅｔ２、Ｍａｒｋｅｔ３、Ｓｈｏｐ１、Ｓｈｏｐ２及びＰａｒｋをそれぞれ取得し、表１に示すような情報リストを作成して第２のユーザに提示する。第２のユーザの現在の地理ロケーションが、デパート名がＭａｒｋｅｔ３であるデパート内である場合、第２のユーザは、第２の端末に表示された表１に示すような情報リストから、現在の地理情報としてＭａｒｋｅｔ３を選択し、デパート名がＭａｒｋｅｔ３であるデパートを第２の端末に提示する。その後、第２の端末は第２のユーザにより選択された地理情報としてデパート名Ｍａｒｋｅｔ３を取得する。
【００２６】
【表１】
0005849155.tif 000002
【００２７】
現在、ネットワークにおいて、例えば、バイドゥマップやグーグルマップ等の位置特定サービスを提供するウェブサイトが存在する。従って、端末は位置特定サービスを提供するウェブサイトから所定の領域範囲に含まれるすべての地理情報を探し出してもよい。
【００２８】
ステップ２０３:第２のユーザがユーザコンテンツを公開することを望んでいる場合、第２の端末は公開する必要がある第２のユーザのユーザコンテンツを受信する。
【００２９】
ここで、第２の端末は第２のユーザに入力インタフェースを提示し、第２のユーザは当該入力インタフェースにおいて公開する必要があるユーザコンテンツを入力し、その後、公開する必要があるユーザコンテンツを第２の端末に提示する。第２の端末は第２のユーザにより提示された、公開する必要があるユーザコンテンツを受信する。
【００３０】
例えば、第２のユーザがユーザコンテンツを公開することを望んでいる場合、第２の端末は第２のユーザに入力インタフェースを提示する。第２のユーザは、第２の端末に表示された入力インタフェースにおいて、公開する必要があるユーザコンテンツＣｏｎｔｅｘｔＡを入力し、その後、公開する必要があるコンテンツＣｏｎｔｅｘｔＡを第２の端末に提示する。第２の端末は、公開する必要がある第２のユーザのユーザコンテンツＣｏｎｔｅｘｔＡを受信する。
【００３１】
ステップ２０４:第２の端末は第２のユーザのユーザＩＤ、第２のユーザの現在の地理情報及び公開する必要がある第２のユーザのユーザコンテンツをサーバのコンテンツリポジトリーに記憶することにより、公開する必要がある第２のユーザのユーザコンテンツの公開を実行する。
【００３２】
ここで、サーバのコンテンツリポジトリーはユーザＩＤ、地理情報及びユーザコンテンツの対応関係を含む。具体的に、端末は、第２のユーザのユーザＩＤ、第２のユーザの地理情報及び公開する必要がある第２のユーザのユーザコンテンツを含む公開要求メッセージをサーバに送信する。サーバは、当該公開要求メッセージを受信し、当該公開要求メッセージに含まれる第２のユーザのユーザＩＤ、第２のユーザの地理情報及び公開する必要がある第２のユーザのユーザコンテンツの対応関係をコンテンツリポジトリーに記憶することにより、公開する必要がある第２のユーザのユーザコンテンツの公開を実現する。
【００３３】
本発明における実施例において、第２の端末は、第２のユーザの現在位置の経緯度座標、第２のユーザのユーザＩＤ及び公開する必要がある第２のユーザのユーザコンテンツを含む公開要求メッセージをサーバに送信してもよい。サーバは、第２のユーザの現在位置の経緯度座標によって第２のユーザの地理情報を取得し、第２のユーザのユーザＩＤ、第２のユーザの地理情報及び公開する必要がある第２のユーザのユーザコンテンツの対応関係をコンテンツリポジトリーに記憶することにより、公開する必要がある第２のユーザのユーザコンテンツの公開を実現する。
【００３４】
例えば、第２の端末は、第２のユーザのユーザＩＤ（ＵｓｅｒＩＤ１）、第２のユーザの地理情報Ｍａｒｋｅｔ３及び公開する必要がある第２のユーザのユーザコンテンツＣｏｎｔｅｘｔＡを含む公開要求メッセージをサーバに送信する。サーバは、当該公開要求メッセージを受信し、当該公開要求メッセージに含まれる第２のユーザのユーザＩＤ（ＵｓｅｒＩＤ１）、第２のユーザの地理情報Ｍａｒｋｅｔ３及び公開する必要がある第２のユーザのユーザコンテンツＣｏｎｔｅｘｔＡを表２に示すコンテンツリポジトリーに記憶することにより、公開する必要がある第２のユーザのユーザコンテンツＣｏｎｔｅｘｔＡの公開を実現する。
【００３５】
【表２】
0005849155.tif 000003
【００３６】
ここで、本実施例において、第２の端末は、第２のユーザのユーザＩＤと第２のユーザの現在の地理情報を取得する。第２のユーザがユーザコンテンツを公開することを望んでいる場合、第２の端末は、第２のユーザにより提示された、公開する必要がある第２のユーザのユーザコンテンツを受信する。第２の端末は、第２のユーザのユーザＩＤ、第２のユーザの現在の地理情報及び公開する必要がある第２のユーザのユーザコンテンツをサーバのコンテンツリポジトリーに記憶して、公開する必要がある第２のユーザのユーザコンテンツの公開を実現する。これにより、他のユーザ（即ち第１のユーザ）がユーザコンテンツを取得しようとするとき、他のユーザは、ユーザＩＤ及び/またはユーザの地理情報によって価値のあるユーザコンテンツを取得することができる。
【００３７】
本発明における実施例において、第２のユーザは第２の端末へ第２のユーザの現在の地理情報を直接的に入力してもよい。
【００３８】
ステップ２０５:第１のユーザがユーザコンテンツを取得する必要がある場合、第１の端末は、ユーザコンテンツを公開したユーザである第２のユーザのユーザＩＤを取得する。
【００３９】
ここで、第１のユーザは事前に１つまたは複数の第２のユーザのユーザＩＤを第１の端末のユーザリストに記憶する。具体的には、第１の端末は、ユーザリストに記憶された第２のユーザのユーザＩＤを取得するか、または、ユーザリストから第1ユーザにより選択された１つまたは複数の第２のユーザのユーザＩＤを取得する。
【００４０】
ここで、第１の端末は、ユーザリストを第１のユーザに提示し、第１のユーザは、第１の端末に表示されたユーザリストから１つまたは複数の第２のユーザのＩＤを選択して第１の端末に提示してもよい。第１の端末は、第１のユーザにより選択された１つまたは複数第２のユーザのＩＤを受信することによって、ユーザリストから第１のユーザにより選択された１つまたは複数第２のユーザのユーザＩＤを取得する。
【００４１】
例えば、第１のユーザは事前に第１の端末に表３に示すユーザリストを記憶しておく。第１のユーザが第１の端末を起動してユーザコンテンツを取得することを望む場合、第１の端末は、表３に示すユーザリストから第２のユーザのＩＤを取得してもよく、この場合、取得される第２のユーザのユーザＩＤはそれぞれＵｓｅｒＩＤ１とＵｓｅｒＩＤ２である。
【００４２】
【表３】
0005849155.tif 000004
【００４３】
ステップ２０６:第１の端末は第１のユーザの現在位置の経緯度座標を取得する。
【００４４】
具体的には、第１の端末は、第１のユーザの現在位置を特定して第１のユーザの現在位置の経緯度座標を取得する。
【００４５】
第１の端末はＧＰＳモジュールを含んでいてもよく、これに応じて、第１の端末は、自身が有するＧＰＳモジュールブロックによって第１のユーザの現在位置を特定し、これにより、第１のユーザの現在位置の経緯度座標を取得してもよい。または、第１の端末は、ネットワークポジショニング方法により第１のユーザの現在位置を特定し、これにより、第１のユーザの現在位置の経緯度座標を取得してもよい。
【００４６】
例えば、第１の端末は、自身が有するＧＰＳモジュールを介して第１のユーザの現在位置を特定して、第１のユーザの現在位置の経緯度座標（ｘ２，ｙ２）を取得する。
【００４７】
ステップ２０７:第１の端末は第１のユーザの現在位置の経緯度座標によって第１のユーザの現在の地理情報を取得する。
【００４８】
具体的には、第１の端末は、第１のユーザの現在位置の経緯度座標に対応する点を中心として、予め設定されたサイズの領域範囲を確定する。第１の端末は、ネットワークから領域範囲に含まれる１つまたは複数の地理情報を取得して、取得された地理情報を含む情報リストを作成する。第１の端末は、当該情報リストを第１のユーザに提示し、当該情報リストから第１のユーザにより選択された第１のユーザの現在の地理情報を取得する。
【００４９】
ここで、第１の端末が第１のユーザの現在位置の経緯度座標に対応する点を中心として、予め設定されたサイズの領域範囲を確定することは、具体的に、第１のユーザの現在位置の経緯度座標に対応する点を円の中心として、半径が予め設定された長さである円形の領域範囲を取得することを含む。
【００５０】
ここで、当該領域範囲に含まれる地理ロケーションは当該領域範囲に含まれるデパート、店舖、街路等場所であってもよく、当該領域範囲に含まれる地理情報は当該領域範囲に含まれるデパートの名称、店舖名及び/または街路番号等であってもよい。
【００５１】
例えば、第１の端末が第１のユーザの現在の経緯度座標（ｘ２，ｙ２）に対応する点を円の中心として半径が予め設定された長さである円形の領域範囲Ａｒｅａ２を取得する場合を想定する。また、Ａｒｅａ２に含まれるすべての地理ロケーションは、デパート名がそれぞれＭａｒｋｅｔ１、Ｍａｒｋｅｔ２、Ｍａｒｋｅｔ３及びＭａｒｋｅｔ４である４つのデパートと、街路番号がＮｕｍｂｅｒ１である街路であるとする。この場合、第１端末は、ネットワークから当該領域範囲に含まれる地理情報、つまり、Ｍａｒｋｅｔ１、Ｍａｒｋｅｔ２、Ｍａｒｋｅｔ３、Ｍａｒｋｅｔ４とＮｕｍｂｅｒ１をそれぞれ取得する。そして、表４に示すような情報リストを作成して第１のユーザに提示する。第１のユーザの現在の地理ロケーションがデパート名がＭａｒｋｅｔ３であるデパートである場合、第１のユーザは第１の端末に表示された表４に示すような情報リストから、現在の地理情報としてデパート名Ｍａｒｋｅｔ３を選択し、デパート名Ｍａｒｋｅｔ３を第１の端末に提示する。第１の端末は第１のユーザにより選択された地理情報としてデパート名Ｍａｒｋｅｔ３を取得する。
【００５２】
【表４】
0005849155.tif 000005
【００５３】
ステップ２０８:第１の端末は、第２のユーザのユーザＩＤと第１のユーザの地理情報を含む取得要求メッセージをサーバに送信する。
【００５４】
ステップ２０９:サーバは、当該取得要求メッセージを受信し、当該取得要求メッセージに含まれる第２のユーザのユーザＩＤと第１のユーザの地理情報によって、サーバに記憶されたコンテンツリポジトリーから対応するユーザコンテンツを取得する。サーバは、当該取得されたユーザコンテンツを第１の端末に送信し、第１の端末は当該ユーザコンテンツを受信して第１のユーザに提示する。
【００５５】
例えば、第１の端末は、第２のユーザのＩＤ（ＵｓｅｒＩＤ１とＵｓｅｒＩＤ２）及び第１のユーザの現在の地理情報Ｍａｒｋｅｔ３を含む取得要求メッセージをサーバに送信する。サーバは、当該取得要求メッセージを受信し、当該取得要求メッセージに含まれる第２のユーザのＩＤ（ＵｓｅｒＩＤ１とＵｓｅｒＩＤ２）及び第１のユーザの現在の地理情報Ｍａｒｋｅｔ３によって、サーバに記憶された表２に示すようなコンテンツリポジトリーから、ユーザコンテンツＣｏｎｔｅｘｔＡ及びＣｏｎｔｅｘｔＢをそれぞれ取得する。そして、サーバは、取得されたユーザコンテンツＣｏｎｔｅｘｔＡ及びＣｏｎｔｅｘｔＢを第１の端末に送信する。第１の端末は、サーバより送信されたユーザコンテンツＣｏｎｔｅｘｔＡ及びＣｏｎｔｅｘｔＢを受信して、ユーザコンテンツＣｏｎｔｅｘｔＡ及びＣｏｎｔｅｘｔＢを表示する。
【００５６】
更に、第１の端末は、第２のユーザのユーザＩＤを含む取得要求メッセージをサーバに送信する。サーバは、当該取得要求メッセージを受信し、当該取得要求メッセージに含まれる第２のユーザのユーザＩＤによって、サーバに記憶されたコンテンツリポジトリーから対応する地理情報とユーザコンテンツをサーチして、サーチした地理情報とユーザコンテンツを端末に送信する。端末は、当該地理情報とユーザコンテンツを受信し、受信された地理情報とユーザコンテンツを表示する。
【００５７】
または、第１の端末は、第１のユーザの地理情報を含む取得要求メッセージをサーバに送信する。サーバは、当該取得要求メッセージを受信し、当該取得要求メッセージに含まれる第１のユーザの地理情報によって、サーバに記憶されたコンテンツリポジトリーから対応するユーザＩＤとユーザコンテンツをサーチし、サーチしたユーザＩＤとユーザコンテンツを第１の端末に送信し、第１の端末は当該ユーザＩＤとユーザコンテンツを受信し、当該ユーザＩＤとユーザコンテンツを表示する。
【００５８】
本発明における実施例において、第１のユーザは第１の端末に第１のユーザの現在の地理情報を直接的に入力してもよい。
【００５９】
本発明における実施例において、第１のユーザがユーザコンテンツを取得する必要がある場合、第１の端末は、ユーザコンテンツを公開したユーザである第２のユーザのユーザＩＤを取得し、第１のユーザの現在の地理情報を取得する。第１の端末は、第２のユーザのユーザＩＤと第１のユーザの現在の地理情報によって対応するユーザコンテンツを取得し、取得されたユーザコンテンツを表示する。第１のユーザと同一の地理ロケーションに位置する第２のユーザが公開したユーザコンテンツは第１のユーザに対して相対的に価値がある。このように、第１の端末は、第２のユーザのユーザＩＤと第１のユーザの地理情報によって、第１のユーザに対して価値のあるユーザコンテンツを取得することができ、これによりユーザ体験が向上する。
【００６０】
実施例３
図３に示すように、本発明における実施例はユーザコンテンツの取得システムを提供する。このシステムは、第１の端末３０１とサーバ３０２を備える。
【００６１】
前記第１の端末３０１は、地理情報及びユーザＩＤのうち少なくとも1つを含むコンテンツ取得要求を前記サーバ３０２へ送信することに用いられる。
【００６２】
前記サーバ３０２は、自身に保存されたコンテンツリポジトリーから前記コンテンツ取得要求にマッチングしたコンテンツ情報をサーチして前記第１の端末３０１にプッシュすることに用いられる。前記コンテンツリポジトリーは第２の端末により発行されて前記サーバに保存され、かつ、各コンテンツ情報は少なくとも前記第２の端末の位置情報及びユーザＩＤを含む。
【００６３】
前記サーバ３０２は、前記第２の端末の経緯度座標によって前記第２の端末の位置情報を取得することに用いられる。
【００６４】
前記サーバ３０２は、具体的に、前記地理情報及びユーザＩＤのうち少なくとも１つによってマッチングしたコンテンツ情報を取得して前記第１の端末３０１にプッシュする。
【００６５】
前記コンテンツ取得要求が地理情報を含む場合、前記地理情報はユーザにより選択されて入力されるか、または、現在の前記第１の端末３０１の実際の地理ロケーションに設定される。
【００６６】
前記第１の端末３０１は、前記第１のユーザの現在位置の経緯度座標を取得し、前記第１のユーザの現在位置の経緯度座標によって前記第１のユーザの現在の地理情報を取得することにさらに用いられる。
【００６７】
本発明における実施例において、第１の端末は、サーバに地理情報及びユーザＩＤのうち少なくとも１つを含むコンテンツ取得要求を送信する。サーバは、自身に保存されたコンテンツリポジトリーから当該コンテンツ取得要求にマッチングしたコンテンツ情報をサーチして第１の端末にプッシュする。前記コンテンツリポジトリーは第２の端末により発行されてサーバに保存され、且つ、各コンテンツ情報には少なくとも前記第２の端末の位置情報及びユーザＩＤが含まれる。これにより、ユーザＩＤ及び/または地理情報によってユーザに対して価値のあるコンテンツ情報を取得することが可能となる。
【００６８】
当業者であれば、上記実施例の全体または一部のステップを、ハードウェア、あるいは、プログラムにより指示された関連ハードウェアにより実現することができることを理解されるであろう。前記プログラムは、リードオンリーメモリ、磁気または光ディスクなどの、コンピュータが読み取り可能な記憶媒体に記憶されていてもよい。
【００６９】
以上の説明は本発明の好適な実施形態に過ぎず、本発明を限定するものではない。本発明の趣旨及び範囲を逸脱することなく実施されたあらゆる修正、均等的置換及び改良等は、すべて本発明の保護範囲に属する。
【図１】
0005849155.tif 000006
【図２】
0005849155.tif 000007
【図３】
0005849155.tif 000008